(57)【要約】      （修正有）【課題】構造が簡単で、部品点数の少ないアップライト式扇風機のモータ及び中軸の固定機構を提供する。【解決手段】モータ１、中軸２２、前殻８及びモータ台枠２０を含み、モータ台枠２０を前殻８に固定し、モータ台枠２０には揺動機構２３の位置制限板を設け、中軸２２をモータ台枠２０に固定した。【選択図】図２
0003112221.tif 000002
【実用新案登録請求の範囲】
【請求項１】
モータ（１）、中軸（２２）、前殻（８）及びモータ台枠（２０）を含むアップライト式扇風機のモータ及び中軸の固定機構であって、前記モータ台枠（２０）が前記前殻（８）に固定され、前記モータ台枠（２０）には揺動機構（２３）の位置制限板が設けられ、中軸（２２）が前記モータ台枠（２０）に固定されていることを特徴とするアップライト式扇風機のモータ及び中軸の固定機構。
【請求項２】
前記前殻（８）の下部に前記モータ台枠（２０）を固定するための中空の柱体（２１）が設けられていることを特徴とする請求項１記載のモータ及び中軸の固定機構。
【請求項３】
前記モータ台枠（２０）が、三つの面からなるＵ字形の台枠であることを特徴とする請求項１記載のモータ及び中軸の固定機構。
【請求項４】
前記モータ台枠（２０）の底面（３０）を、揺動機構（２３）の位置制限板として構成したことを特徴とする請求項１記載のモータ及び中軸の固定機構。
【請求項５】
前記中軸（２２）が、前記モータ台枠（２０）の底面（３０）に固定されていることを特徴とする請求項１または３記載のモータ及び中軸の固定機構。
【請求項６】
前記中軸（２２）が空心軸であり、前記モータ台枠（２０）の底面（３０）には、中軸の孔に対応する電源コードの通過孔（２８）が開口され、中軸（２２）が、通過孔（２８）の孔縁にカシメられていることを特徴とする請求項５記載のモータ及び中軸の固定機構。
【請求項７】
モータ台枠（２０）の２つの側面及び底面には、前殻（８）、モータ（１）及び後殻（２４）とそれぞれ固定するための折曲部（２６）、（２７）、（２９）が設けられていることを特徴とする請求項３記載のモータ及び中軸の固定機構。
【考案の詳細な説明】
【技術分野】
【０００１】
本考案は、アップライト式扇風機のモータ及び中軸の固定機構に関するものである。
【背景技術】
【０００２】
従来のアップライト式扇風機のモータ及び中軸の固定機構は、一般に前殻の下部に仕切り板を備え、モータが、モータ台枠及び揺動機構を位置制限する役割を果たす中軸板により前殻の仕切り板に固定され、中軸が中軸板に固定されているというものである。図１に示すように、モータ１はねじ３によりモータ台枠4に固定され、モータ台枠４及び中軸板６はねじ１４で前殻８の下部の仕切り板１２に固定され、中軸７はナット５により中軸板６に固定されている。
【考案の開示】
【考案が解決しようとする課題】
【０００３】
このようなモータ及び中軸の固定機構は、構造が複雑で、部品点数が多いという欠陥がある。前殻の下部には仕切り板が設けられているため、抜け勾配（ｄｒａｆｔ  ａｎｇｌｅ）の面から見れば、前殻の金型には下型スライダを増加する必要があり、金型の構造が相対的に複雑になる。部品を製造するには、抜け勾配を加える必要があるので、前殻の仕切り板は殻体に対して僅かに傾斜する夾角を有し、且つ、仕切り板が十分の強度を有することを保証するために、十分の補強リブで仕切り板を補強する必要があり、比較的多量の材料を消費し、コストも高くなる。
【０００４】
本考案は、上述した従来技術の欠点を克服し、構造が簡単で、部品点数の少ないアップライト式扇風機のモータ及び中軸の固定機構を提供することを目的とする。
【課題を解決するための手段】
【０００５】
上記課題を解決するために、本考案に係るアップライト式扇風機のモータ及び中軸の固定機構は、モータ、中軸、前殻及びモータ台枠を含み、モータ台枠は前殻に固定され、モータ台枠には揺動機構の位置制限板が設けられ、中軸はモータ台枠に固定されている。このように、本考案のモータ及び中軸の固定機構において、従来の前殻の仕切り板及び中軸板は必要でなく、中軸はモータ台枠に固定され、モータ台枠は、直接に前殻に固定されて、揺動機構を位置制限する機能を兼ねている。
【０００６】
一つの好ましい実施形態においては、前記前殻の下部に前記モータ台枠を固定するための中空の柱体が設けられている。前記モータ台枠は、三つの面からなるＵ字形の台枠である。前記モータ台枠の底面は、揺動機構の位置制限板として機能する。前記中軸は、前記モータ台枠の底面に固定され、前記中軸は空心軸であり、前記モータ台枠の底面には、中軸の孔に対応する電源コードの通過孔を開口した。
【考案の効果】
【０００７】
本考案は、従来の技術と比べて、次のような利点がある。
１．モータ及び中軸の固定機構として、従来の前殻の仕切り板及び中軸板が必要でないので、構造が簡略化され、部品点数が少なく、モータとトップ軸との垂直同心度を向上させることができる。前殻の金型には、下型スライダを用いる必要がないので、金型の構造も簡略化させることができ、製造コストを大幅に低下させることができる。加えて、取付作業も簡略化され、生産能率を明らかに向上させることができる。
２．電源コードは、中軸の孔及びモータ台枠における電源コードの通過孔を介して通過させることができ、電源コード全体の長さを短縮させることができるだけでなく、扇風機が揺動する時に、電源コードは中軸孔内を僅かに移動するだけなので、電源コードが前殻の仕切り板と摩擦して損壊される恐れを避けることができる。
【考案を実施するための最良の形態】
【０００８】
図２、図３、図４、図５に示すように、本考案のアップライト式扇風機のモータ及び中軸の固定機構は、モータ１、中軸２２、前殻８、モータ台枠２０からなり、モータ台枠２０は前殻８に固定されている。モータ台枠２０は、三つの面からなるＵ字形の台枠である。モータ台枠２０の２つの側面及び底面には、それぞれ前殻８、モータ１及び後殻２４と固定される折曲部２６、２７、２９が設けられている。前殻８の下部には、モータ台枠２０を固定するための中空の柱体２１が設けられている。本実施形態においては、５つの中空柱体２１が設けられている。
【０００９】
取付け時に、モータ１はねじ３でモータ台枠２０の折曲部２７に固定され、モータ台枠２０の折曲部２６は、ねじ２５で前殻８の柱体２１に固定されている。モータ台枠２０の底面３０は揺動機構２３の位置制限板として構成されている（図４参照）。中軸２２はモータ台枠２０の底面３０に固定されている。中軸２２は空心軸であり、モータ台枠の底面３０には、中軸の孔に対応する電源コードの通過孔２８が開口され、中軸２２は、通過孔２８の孔縁にカシメられている。
【００１０】
電源コード１７は、台座１０と支柱９を経由して接続盤１５に入り、空心中軸２２の軸孔３１及びモータ台枠の通過孔２８を通って扇風機の扇体に入り、最後にコネクチングボックス２に入ってモータ回路に接続されている。尚、電源コード１７は、電源コード１７を押えるクリップ１６をねじで接続盤１５に固定することによって、接続盤１５に支持されている。
【００１１】
以上のように添付図面を参照して説明した実施形態は、本考案を何ら限定するものではなく、本考案の理解を容易ならしめるために例示的に採用したに過ぎない。従って、当業者は、本考案の技術的な思想を逸脱しない限り、多種の変形及び変更を加えることができる。本考案の保護範囲は、各請求項によって限定されたものであるが、各請求項に記載された範囲内で加えられる各種の変形と変更、及びそれらの均等物を含むことは明らかである。
【図面の簡単な説明】
【００１２】
【図１】従来のアップライト式扇風機のモータ及び中軸の固定機構の構造を示す概略図である。
【図２】本考案の構造を示す概略図である。
【図３】本考案の実施形態に係るモータ台枠の構造を示す概略図である。
【図４】本考案の実施形態に係るモータ台枠を、揺動機構の位置制限板として取り付けた状態を示す概略図である。
【図５】図２のＷの拡大図である。
【符号の説明】
【００１３】
１                  モータ
８                  前殻
２０                モータ台枠
２１                中空の柱体
２２                中軸
２３                揺動機構
２４                後殻
２６，２７，２９    モータ台枠の折曲部
２８                電源コードの通過孔
３０                モータ台枠の底面
【図１】
0003112221.tif 000003
【図２】
0003112221.tif 000004
【図３】
0003112221.tif 000005
【図４】
0003112221.tif 000006
【図５】
0003112221.tif 000007